(57)【要約】【課題】  後ローラへの布地巻き込みを防止し、無端ベルトの破損を低減させる筒形ミシンの送り装置を提供する。【解決手段】  筒形ベッドの上面に配置され針板爪を有する針板と、針板爪より後方で筒形ベッドの上面に沿って配置され針板爪手前の前ローラと対をなす後ローラと、前ローラ及び後ローラに巻架され一部が針板上に配置される無端ベルトと、前ローラ或いは後ローラの一方に連結され主軸の回転に連動して該ローラに間欠回転を付与する間欠クラッチとを具備し、針板上に載せ付けられた布地を無端ベルトにより布送り方向へ搬送する筒形ミシンの送り装置において、後ローラ上で無端ベルトの両脇に配置され支持面を有するガイド片を備え、支持面の一部が後ローラ上の無端ベルトより前記布送り方向へせり出すようにした。【選択図】          図２
2008220651.tif 000002
【特許請求の範囲】
【請求項１】
筒形ベッドの上面に配置され針板爪を有する針板と、針板爪より後方で筒形ベッドの上面に沿って配置され針板爪手前の前ローラと対をなす後ローラと、前ローラ及び後ローラに巻架され一部が針板上に配置される無端ベルトと、前ローラ或いは後ローラの一方に連結され主軸の回転に連動して該ローラに間欠回転を付与する間欠クラッチとを具備し、針板上に載せ付けられた布地を無端ベルトにより布送り方向へ搬送する筒形ミシンの送り装置において、
後ローラ上で無端ベルトの両脇に配置され支持面を有するガイド片を備え、
支持面の一部が後ローラ上の無端ベルトより前記布送り方向へせり出すようにしたことを特徴とする筒形ミシンの送り装置。
【請求項２】
無端ベルトが針板爪を挟んで左右に並設され、前記ガイド片のうち左右の無端ベルト間に介在するガイド片の支持面が針板後部に隣接している請求項１記載の筒形ミシンの送り装置。
【請求項３】
前ローラが筒形ベッドに固定のブラケットに軸支されると共に、後ローラがブラケットに前後位置調節可能に固定の台座に軸支されている請求項１または２に記載の筒形ミシンの送り装置。
【発明の詳細な説明】
【技術分野】
【０００１】
本発明は、ベビーウエアの袖口等の縫製時に適用可能な筒形ミシンの送り装置に関する。
【背景技術】
【０００２】
従来の筒形ミシンの送り装置としては、筒形ベッドに配置された無端ベルトで布地を送るミシンの送り装置が知られている（例えば、特許文献１を参照。）。この送り装置は、筒形ベッドの上面に配置され針板爪を有する針板と、針板爪より後方でベッド上面に沿って配置される後ローラと、後ローラに巻架され一部が針板上に配置される無端ベルトを備えている。
【０００３】
【特許文献１】特開２００４−２２２９４８号公報(第５頁、図１−３)
【発明の開示】
【発明が解決しようとする課題】
【０００４】
ところが従来の筒形ミシンの送り装置においても、丸物布地の径が小さいと後ローラと無端ベルトとの間に丸物布地が巻き込まれやすくなり、丸物布地に傷がつくという問題があった。また丸物布地の巻き込みによって無端ベルトの周長が大きくなると無端ベルトの張力が大きくなって無端ベルトがちぎれることがあった。
従って、本発明の課題は、後ローラへの布地巻き込みを防止し、無端ベルトの破損を低減させる筒形ミシンの送り装置を提供することを目的としている。
【課題を解決するための手段】
【０００５】
本発明は、上記目的を達成するために、筒形ベッドの上面に配置され針板爪を有する針板と、針板爪より後方で筒形ベッドの上面に沿って配置され針板爪手前の前ローラと対をなす後ローラと、前ローラ及び後ローラに巻架され一部が針板上に配置される無端ベルトと、前ローラ或いは後ローラの一方に連結され主軸の回転に連動して該ローラに間欠回転を付与する間欠クラッチとを具備し、針板上に載せ付けられた布地を無端ベルトにより布送り方向へ搬送する筒形ミシンの送り装置において、後ローラ上で無端ベルトの両脇に配置され支持面を有するガイド片を備え、支持面の一部が後ローラ上の無端ベルトより前記布送り方向へせり出すようにしたことを特徴とする。
【０００６】
なお針板爪を挟んで無端ベルトを左右に並設し、前記ガイド片のうち左右の無端ベルト間に介在するガイド片の支持面を針板後部に隣接するのが望ましく、前ローラを筒形ベッドに固定のブラケットに軸支すると共に、後ローラをブラケットに前後位置調節可能に固定の台座に軸支するとよい。
【発明の効果】
【０００７】
本発明によれば、針板爪の後方で無端ベルトの両脇に配置され支持面を有するガイド片を備え、支持面の一部を後ローラ上の無端ベルトより前記布送り方向へせり出すようにしたので、後ローラ上の布地が無端ベルトより離間し、後ローラと無端ベルトの間に布地が巻き込まないようになる。なお後ローラへの布地巻き込み防止によって無端ベルトの張力増大を防ぎ、無端ベルトの破損を低減させることができる。また針板爪を挟んで無端ベルトを左右に並設し、前記ガイド片のうち左右の無端ベルト間に介在するガイド片の支持面を針板後部に隣接させると、無端ベルトによる布地の搬送時に針板と後ローラ間への布地の落ち込みを防ぎ、後ローラと無端ベルト間への布地巻込みを低減させることができる。更に前ローラを筒形ベッドに着脱可能なブラケットに軸支すると共に後ローラをブラケットに前後位置調節可能に固定の台座に軸支すると、両ローラに巻架される無端ベルトの張力を適正して後ローラと無端ベルト間への布地巻込みを低減できる。
【発明を実施するための最良の形態】
【０００８】
以下、本発明の実施の形態を図面を基づいて説明する。筒形ベッド１はミシンのベッド基部Ｂより突設され、筒形ベッド１上面に配置された針板３はミシンアームＡ先端に支持された押え金５の下方にある。針板３の針板爪３ａは図２に示されるように布送り方向Ｆに延びており、ミシンアーム先端に配置された針２は針板爪３ａの基部周辺を間欠的に貫通する。針板３は図３に示されるように、ネジ６でブラケット７の取付け材７ａに固定されている。図４に示されるように、ブラケット７は基端側に付設されたピン７ｂと突片７ｃによって筒形ベッド１に着脱可能に固定されている。ブラケット７の前端は一対の前軸支部７ｄ，７ｄを有し、前ローラ８は前支持軸８ａを介して前軸支部７ｄ，７ｄに軸支されている。前ローラ８は筒状となっており、前支持軸８ａはネジ８ｂにより前ローラ８に固定されている。なお前ローラ８は針板爪３ａより手前で筒形ベッド１の上面に沿って配置され、前ローラ８の両端は小径の歯部８ｃ，８ｃを有する。
【０００９】
ブラケット７後端の台座７ｅは一対の後軸支部７ｆ，７ｆを有し、前ローラ８と対をなす後ローラ９は後支持軸９ａを介して後軸支部７ｆ，７ｆに軸支されている。後ローラ９は筒状となっており、後支持軸９ａはネジ９ｂにより後ローラ９に固定されている。後ローラ９は針板爪３ａより後方で筒形ベッド１の上面に沿って配置され、後ローラ９の両端部は小径の溝部９ｃ，９ｃを有する。なお台座７ｅは下片７ｇを有し、虫ネジ１０が下片７ｇに累合されている。台座７ｅの下片７ｇはブラケット７の凹部７ｈに前後スライド可能に嵌合されている。台座７ｅ固定用ネジ１１の弛緩時に虫ネジ１０をブラケット７の支持壁７ｉに当接させた状態で回動させると、図５に示されるように、台座７ｅがブラケット７の凹部７ｈ内で布送り方向Ｆに沿う矢印Ｘ方向に摺動する。これにより台座７ｅをブラケット７に対して調節し、無端ベルト１３，１３の張り具合を変更できる。台座７ｅへの虫ネジ１０の固定はナット１２で行う。
【００１０】
無端ベルト１３，１３は前ローラ８両端の歯部８ｃ及び後ローラ９の溝部９ｃに巻架され、その一部は針板３上の溝部３ｂ，３ｂを通過している。後ローラ９の溝部９ｃ深さは無端ベルト１３，１３の肉厚と略一致するようにしている。無端ベルト１３，１３を針板３の溝部３ｂ上を通過させることにより無端ベルト１３，１３の搬送面高さを針板３の上面高さに近づけているが、無端ベルト１３，１３の搬送面１３ａは針板３上面より若干高くなっている。また無端ベルト１３，１３は針板爪３ａを挟んで左右に並設され、前ローラ８および後ローラ９の中央部分は布地用搬送面を兼ねたものとなっている。特に前ローラ８の中央部分を平ローラにすると、布地の毛羽が前ローラ８に引掛かったり巻き付いたりすることがない。前ローラ８の前支持軸８ａには間欠クラッチ１４が連結されている。間欠クラッチ１４は主軸（図示せず）の回転に連動して前支持軸８ａを間欠的に一方向へ回転させ、前支持軸８ａの間欠回転は無端ベルト１３，１３に伝動される。
【００１１】
押え金５は布地を針板３側に押圧し、針板３上に載せ付けられた布地は主軸の回転時に無端ベルト１３，１３により布送り方向Ｆへ搬送される。なお後ローラ９の溝部９ｃは歯型形成されておらず、無端ベルト１３，１３の動きは後ローラ９に伝動し難くなっている。これにより主軸回転時に布地が後ローラ９と後軸支部７ｆ，７ｆとの隙間に入って後ローラ９が動かなくなっても無端ベルト１３，１３は後ローラ９の溝部９ｃ，９ｃ上をスライドできる。
【００１２】
後ローラ９上の無端ベルト１３，１３両脇にはガイド片１５，１６が配置されている。図６に示されるように、ガイド片１５は台座７ｅの後軸支部７ｆ，７ｆに延設され、ガイド片１６は虫ネジ１０に累合されたナット１２で台座７ｅに固定されている。ガイド片１５，１６は支持面１５ａ，１６ａを有し、支持面１５ａ，１６ａは針板爪３ａより後方に位置している。支持面１５ａ，１６ａは、針板上の無端ベルト搬送面１３ａより低く位置付けられ、支持面１５ａと針板３上面とは面一になっている。なおナット１２の弛緩時にはガイド片１６を長孔１６ｅの範囲内で上下に調節し、ガイド片１６の支持面１６ａを針板３上面と面一にすることができる。また支持面１５ａ，１６ａは後ローラ９上を布送り方向Ｆに沿って跨いでおり、その一部が後ローラ９の溝部９ｃに架かる無端ベルト１３，１３より布送り方向Ｆへせり出している。せり出した支持面１５ａ，１６ａにより布地が無端ベルト１３，１３より離間し、後ローラ９と無端ベルト１３，１３の間に布地が巻き込まないようになっている。
【００１３】
また支持面１５ａ，１６ａに連なる円弧面１５ｂ、１６ｂは夫々同形状となっており、特に布地が円弧面１６ｂに案内されることでナット１２や虫ネジ１０に引っ掛からないようになっている。無端ベルト１３，１３間の支持面１６ａ端部は針板３の後部に隣接している。これにより無端ベルト１３，１３による布地の搬送時に針板３と後ローラ９との間に布地が落ち込まないようになっている。本実施の形態では、間欠クラッチが前ローラの前支持軸に連結されていたが、これに限定されるわけでない。例えば、後ローラの後支持軸に連結されるようにしてもよく、その際は後ローラの溝部を歯型形成にしておく必要があり、前ローラの歯部を溝部に変更しておくのが望ましい。
【図面の簡単な説明】
【００１４】
【図１】本発明に係る装置を適用したミシンの全体側面図である。
【図２】本発明に係るミシンの送り装置を示した斜視図である。
【図３】同装置のブラケットの取付け構造を示した部品展開図である。
【図４】同装置の要部の取り外し状態を示す斜視図である。
【図５】同装置の無端ベルト巻架部分を説明する部分断面図である。
【図６】同装置のガイド片を示した斜視図である。
【符号の説明】
【００１５】
１                筒形ベッド
３                針板
３ａ              針板爪
７                ブラケット
７ｅ              台座
８                前ローラ
９                後ローラ
１０              虫ネジ
１３              無端ベルト
１４              間欠クラッチ
１５，１６        ガイド片
１５ａ，１６ａ    支持面
【図１】
2008220651.tif 000003
【図２】
2008220651.tif 000004
【図３】
2008220651.tif 000005
【図４】
2008220651.tif 000006
【図５】
2008220651.tif 000007
【図６】
2008220651.tif 000008